(57)【特許請求の範囲】
【請求項１】
燃焼面として作用するバーナプレートと、前記バーナプレートの燃焼側に配置された放射スクリーンと、を備えるガス燃焼式赤外線放射器において、
前記放射スクリーンは、エンボス加工されており、
これによって、１つまたは複数のエンボス部分において、前記放射スクリーンのエンボス加工されていない部分における前記バーナプレートと前記放射スクリーンとの間の距離と比較して、異なる距離が前記バーナプレートと前記放射スクリーンとの間に設定されており、
前記異なる距離は、近距離であることを特徴とするガス燃焼式赤外線放射器。
【請求項２】
前記放射スクリーンは多数のエンボス部を備えており、
前記異なる距離は、前記エンボス部のいくつかにおいて近距離であり、他のエンボス部のいくつかにおいて遠距離であることを特徴とする請求項１に記載のガス噴射式赤外線放射器。
【請求項３】
前記エンボス部の少なくともいくつかにおいて、前記バーナプレートと前記放射スクリーンとの間の距離は、前記放射スクリーンのエンボス加工されていない部分の前記バーナプレートと前記放射スクリーンとの間の距離よりも大きくなっていることを特徴とする請求項１に記載のガス噴射式赤外線放射器。
【請求項４】
前記バーナプレートは、１つまたは複数のセラミックプレートから構成されていることを特徴とする請求項１に記載のガス噴射式赤外線放射器。
【請求項５】
前記バーナプレートは、少なくとも２つの孔付きタイルから構成されている、ことを特徴とする請求項１に記載のガス噴射式赤外線放射器。
【請求項６】
前記放射スクリーンは、前記バーナプレートの２つの孔付きタイル間の少なくとも１つの接合部において、エンボス加工されていることを特徴とする請求項５に記載のガス燃焼式赤外線放射器。
【請求項７】
前記放射スクリーンは、前記バーナプレートの孔付きタイル間の全ての接合部において、エンボス加工されていることを特徴とする請求項６に記載のガス燃焼式赤外線放射器。
【請求項８】
前記バーナプレートは、互いに隣り合って配置された２つの孔付きタイルを備えており、前記放射スクリーンは、前記２つの孔付きタイル間の接合部において、エンボス加工されていることを特徴とする請求項１〜３のいずれか一項に記載のガス燃焼式赤外線放射器。
【請求項９】
前記放射スクリーンは、金属格子または織ワイヤメッシュであることを特徴とする請求項１に記載のガス燃焼式赤外線放射器。
【請求項１０】
前記バーナプレートは、前記バーナプレートの表面の全体に拡がる多数のレベルの燃焼面を有していることを特徴とする請求項１に記載のガス燃焼式赤外線放射器。
【請求項１１】
前記エンボス部の断面は、Ｖ字形状またはＵ字形状を有していることを特徴とする請求項１に記載のガス燃焼式赤外線放射器。
【請求項１２】
前記放射スクリーンは、前記放射スクリーンの両端側の少なくとも１つにおいて屈曲していることを特徴とする請求項１に記載のガス燃焼式赤外線放射器。
【請求項１３】
前記バーナプレートの全面にわたってバーナプレートと放射スクリーンとの間に空隙が設けられている、ことを特徴とする請求項１に記載のガス燃焼式赤外線放射器。
【請求項１４】
請求項１〜１３に記載のガス燃焼式赤外線放射器の使用。
【発明の詳細な説明】
【技術分野】
【０００１】
本発明は、燃焼面と該燃焼面の前方に配置された放射スクリーン（または輻射スクリーン）とを有するガス燃焼式放射器の技術分野に関する。
【背景技術】
【０００２】
ガス燃焼式赤外線放射器は、パルプおよび紙工業において、移動するセルロースウエブの皮膜を乾燥させるために広く用いられている。これらの放射器は、周知であり、例えば、このような１つの放射器が、特許文献１に記載されている。
【０００３】
先行技術のガス燃焼式赤外線放射器は、多くの場合、放射（反射、輻射）スクリーン（または格子）を含んでいる。このスクリーンは、放射器の放射出力を増大させ、同時に主要な放射面を汚染から保護するものである。取外し可能な格子を有する放射器の例が、特許文献１に開示されている。
【０００４】
放射バーナプレートおよびスクリーンを備える放射バーナは、例えば、特許文献２または特許文献３からも知られている。
【０００５】
放射スクリーンを強化し、その寿命を延ばすために、放射スクリーンの上方に補強用クロス材を用いることが、当該分野において知られている。
【０００６】
特許文献４は、バーナ面と、放射スクリーンと、スクリーンを取り外し可能に配置し、かつ強化するために該スクリーン上に設けたフレーム構造とを備えるガス燃焼式赤外線放射器を記載している。
【０００７】
特許文献５は、改良された反射スクリーンを利用する多孔質マット型ガス燃焼式放射バーナパネルを記載している。これらのスクリーンの目的は、同一の燃料−空気流量において、スクリーンを用いないバーナに対して、バーナの全放射出力を高めることである。一実施形態では、反射スクリーンは、セラミック複合材料から作製されている、このセラミック複合材料は、対応する金属よりも高い運転温度に耐えることができるものである。特許文献５の他の実施形態では、反射スクリーンは、波形が付されている。この波形は、剛性を強め、これによって、温度または熱膨張係数の差に起因するクリープおよび熱誘起歪に耐えるのに役立つことになる。付加的な利点として、波形は、バーナの放射効率をさらに向上させることが見出されている。好ましい実施形態では、反射スクリーンは、波形が付されていると共に、セラミック複合材料から作製されている。
【０００８】
特許文献６は、空洞を画定する鋳物からなる放射バーナを開示している。この鋳物の片側は、そこに形成された開口を有しており、該片側の残りの面は、開口を包囲する平らなリムを画定している。ガスおよび空気を空洞に運ぶために、横断チューブが前記空洞の内部に流体接続されている。第１の平坦な孔付き部材は、前記開口を覆っており、第２の柔軟な孔付き燃焼維持部材は、開口および第１の部材の対応する部分を覆う中心部分を備えている。中心部分は、前記開口を覆う多数の互いに平行のＵ字状構造をもたらすように作製されている。Ｕ字状構造のいくつかの最大部分は、第１の部材に実質的に線接触している。中心部分の残っているＵ字状構造の最大部分は、第１の部材の面と平行に離間した面に接している。これらの面間の距離は、第１および第２の部材の組合せ厚みよりも大きくなっている。この開示は、両方のスクリーンの周縁をリムに取外し可能にクランプする手段を含んでいる。
【０００９】
単一のバーナプレートをもたらすように列状にまたは正方形に配置された多数の孔付きタイル（例えば、孔付きセラミックタイル）を互いに接合することは、放射ガスバーナにおいて一般的に行われている。個々の孔付きタイル間の柔軟な接合部は、剛性の接合部と同様、知られている。
【００１０】
例えば、特許文献７は、組み合わされた耐熱性孔付き耐火タイルまたはブロックから構成された放射ガスバーナに関する。これらのタイルは、耐火接合化合物またはタイルセメントによって、互いに隣り合って接合されている。タイルセメントは、硬化時に、煉瓦がモルタルによって互いに接合されるのとまったく同様に、タイルを互いに接合し、該タイルを組合せ状態で保持することになる。
【００１１】
放射ガスバーナの周知の課題は、放射スクリーンの効率および有効性に関連している。
【先行技術文献】
【特許文献】
【００１２】
【特許文献１】米国特許第５，８２０，３６１号明細書
【特許文献２】米国特許第４，７９９，８７９号明細書
【特許文献３】欧州特許出願公開第０５３９２７８号明細書
【特許文献４】米国特許第６，５１４，０７１号明細書
【特許文献５】米国特許第５，９８９，０１３号明細書
【特許文献６】米国特許第３，１２２，１９７号明細書
【特許文献７】米国特許第３，４３９，９９６号明細書
【発明の概要】
【発明が解決しようとする課題】
【００１３】
本発明の目的は、ガス燃焼式放射器の性能を改良することにある。
【課題を解決するための手段】
【００１４】
本発明の一態様は、燃焼面として作用するバーナプレートと、バーナプレートの燃焼側に配置された放射スクリーンと、を備えるガス燃焼式赤外線放射器を提供している。放射スクリーンは、エンボス加工されており、これによって、エンボス部分において、放射スクリーンのエンボス加工されていない部分におけるバーナプレートと放射スクリーンとの間の距離と比較して、異なる距離がバーナプレートと放射スクリーンとの間に設定されている。
【００１５】
エンボス部という用語は、面内の２つ以上の直線方向に沿って該面から外れる表面の変形を意味している。エンボス部は、波形状と以下の点において、すなわち、波形状では、面から外れる表面の変形は、面内の１つの直線方向に沿ってのみ、例えば、波状に生じる点において、異なっている。
【００１６】
本発明の利点は、放射スクリーンに存在する１つまたは複数のエンボス部が、例えば、熱変形に対するスクリーンの機械的抵抗を増大させることである。従って、金属クロス材のような剛性付与手段を節約することができる。
【００１７】
好ましくは、燃焼面として作用するバーナプレートは、１つまたは複数のセラミックプレート、例えば、１つまたは複数の孔付きセラミックタイルから構成されている。
【００１８】
特定の実施形態では、エンボス部のいくつかにおける異なる距離は、近距離である。さらに特定の実施形態では、エンボス部の全てにおける異なる距離は、近距離である。
【００１９】
他の特定の実施形態では、エンボス部の少なくともいくつかにおける異なる距離は、遠距離である。好ましくは、遠距離を有するエンボス部は、他の区域よりも温度が高いバーナプレートの箇所、例えば、バーナプレートの中央部、またはバーナプレートを構成する多数のタイルの中央部の上方に配置されている。これによって、バーナプレートの局部的な高温が相殺され、その結果、放射スクリーンの表面の全体にわたって温度がより一層均一化され、これによって、放射スクリーンの寿命を延ばすことができるという利点が得られる。
【００２０】
本発明の他の実施形態では、バーナプレートは、燃焼面として１つの孔付きタイルを備えている。本発明の代替的態様は、バーナプレートが少なくとも２つの孔付きタイルを備えるガス燃焼式赤外線放射器を提供している。これらの孔付きタイルは、１つまたは２つの方向において互いに隣り合って配置され、バーナプレートを形成することになる。
【００２１】
さらに他の実施形態では、放射スクリーンは、バーナプレートの２つの孔付きタイル間の少なくとも１つの接合部の位置において、エンボス加工されている。さらに特定の実施形態では、バーナプレートの２つの孔付きタイル間の少なくとも１つの接合部の位置におけるエンボス部は、近距離を有しており、これによって、付加的な利点をもたらすことになる。最新技術によるバーナでは、２つの孔付きタイル間の接合部は、バーナプレートの最も温度の低い箇所であり、その結果、この接合部の上方に位置する放射スクリーンの部分は、放射スクリーンの平均温度よりも低い温度になり、これによって、放射スクリーンによって放射される赤外線エネルギーが低くなる。本発明のこのさらに特定の実施形態による１つまたは複数のエンボス部は、放射スクリーンとバーナプレートとの間の距離を局部的に短縮している。これらのエンボス部において、放射スクリーンは、より多くの対流熱、従って、より高温、および放出されたより多くの赤外線エネルギーを受けることになる。放射スクリーンも、エネルギーをバーナプレートに戻すように放射する。すなわち、バーナ面とスクリーンとの間の近距離の箇所において、比較的多くのエネルギーがバーナプレートに戻るように放射されることになる。従って、バーナ面の温度が局部的に上昇することになる。その結果、放射エネルギーは、ガス燃焼式赤外線バーナの表面の全体にわたってより均一になり、ガス燃焼式赤外線バーナの効率が高められることになる。
【００２２】
特定の実施形態におけるように、孔付きタイルの接合部の位置における近距離の１つまたは複数のエンボス部の存在によって、付加的な利点が得られる。エンボス部と燃焼面との間の近距離は、燃焼面自体の上方に波形部または近距離のエンボス部が設けられた場合のように、放射スクリーンの温度を高めることがない。後者の場合、放射スクリーンのエンボス部または波形部において、スクリーンが燃焼面に対して近接して位置することによって、高熱負荷が設定されることになる。
【００２３】
さらに他の実施形態では、放射スクリーンは、バーナプレートの孔付きタイル間の接合部の全ての位置において、エンボス加工されている。
【００２４】
さらに他の実施形態では、バーナプレートは、互いに隣り合って配置された２つの孔付きタイルを備えており、放射スクリーンは、これらの２つの孔付きタイル間の接合部の位置において、エンボス加工されている。
【００２５】
本発明の一実施形態では、放射スクリーンは、金属格子である。
【００２６】
本発明のさらに他の実施形態では、放射スクリーンは、織ワイヤメッシュである。
【００２７】
一実施形態では、バーナプレートの互いに異なる孔、従って、燃焼スポットは、全て、同一面内にある。他の実施形態では、バーナプレートは、バーナプレートの面の全体にわたって拡がる多数のレベルの燃焼面を有している。この実施形態は、ガス燃焼式放射器の騒音レベルが低減されるというさらなる利点をもたらすことになる。好ましい実施形態では、バーナプレートは、２つのレベルの燃焼面を有している。さらに一層好ましい実施形態では、種々のレベルの燃焼面は、バーナプレートの全体にわたって均一に分布されている。
【００２８】
本発明の一実施形態では、エンボス部の断面は、Ｖ字形状を有している。本発明のさらに他の実施形態では、エンボス部の断面は、Ｕ字形状を有している。
【００２９】
本発明の他の実施形態では、放射スクリーンは、（スクリーンのエンボス加工に加えて）、放射スクリーンの両端側の少なくとも１つにおいて屈曲されている。この実施形態の利点は、放射スクリーンの付加的な剛性付与効果が得られることである。
【００３０】
本発明の一実施形態では、バーナプレートの全面にわたって、バーナプレートと放射スクリーンとの間に空隙が設けられている。
【００３１】
本発明の他の態様は、本発明によるガス燃焼式赤外線放射器の使用である。
【００３２】
好ましい実施形態では、放射スクリーンは、高耐熱・耐食性鋼階級、例えば、高レベルステンレス鋼階級、例えば、ＦｅＣｒＡｌまたはＦｅＣｒＡｌＭｏ合金鋼階級、またはクロム／ニッケル鋼階級（例えば、Ｘ１０ＣｒＮｉＳｉＮ２１−１１、Ｘ９ＣｒＮｉＳｉＮＣｅ２１−１１−２またはＸ６ＣｒＮｉＳｉＮＣｅ１９−１０；ＥＮ規格に準じる鋼組成）から作製されている。
【００３３】
代替的に、放射スクリーンは、高耐熱性材料、例えば、セラミック、特に、酸化アルミニウムまたは酸化ジルコニウム、チタン酸アルミニウム、酸化シリコン、コランダムまたはムライト、炭化シリコン、窒化シリコン、または金属溶浸セラミック、例えば、シリコン溶浸炭化シリコンから製造されている。代替的に、放射スクリーンは、他の性質の耐熱材料、例えば、５０重量％よりも多い金属珪化物、例えば、二珪化モリブデン（ＭｏＳｉ２）または二珪化タングステン（ＷＳｉ２）を含む材料から製造されていてもよい。
【００３４】
好ましい実施形態では、放射バーナプレートは、耐高温性および優れた機械的および熱力学特性を有するセラミック材料、例えば、コーディエライトまたはジルコニア、部分安定化ジルコニア（ＰＳＺ）、アルミナ、炭化シリコン、または他の高レベル技術セラミックの孔付きタイルから構成されている。
【００３５】
以下、添付の図面を参照して、本発明の例示的実施形態について説明する。
【図面の簡単な説明】
【００３６】
【図１】本発明によるガス燃焼式放射器の概略図である。
【図２】放射スクリーンにおけるエンボス部の例の概略図である。
【図３】図２の線Ｉ−Ｉ’に沿った断面の概略図である。
【図４】図２の線ＩＩ−ＩＩ’に沿った断面の概略図である。
【図５】図２の線ＩＩＩ−ＩＩＩ’に沿った断面の概略図である。
【図６】本発明の代替的実施形態の概略図である。
【図７】バーナ面に２つのタイルを備える本発明の実施形態の概略図である。
【図８】バーナ面に２つのタイルを備える本発明の代替的実施形態の概略図である。
【図９】バーナ面に２つのタイルを備える本発明のさらに他の代替的実施形態の概略図である。
【図１０】２つの異なるレベルの燃焼面を有するバーナプレートの概略図である。
【図１１】図２の線ＩＩＩ−ＩＩＩ’に沿ったエンボス部の代替的断面の概略図である。
【図１２】図２の線ＩＩＩ−ＩＩＩ’に沿ったエンボス部のさらに他の代替的断面の概略図である。
【図１３】本発明の他の実施形態の概略図である。
【図１４】本発明の他の実施形態の概略図である。
【発明を実施するための形態】
【００３７】
例示的な実施形態において、図１のガス燃焼式放射器１００は、本体１１０、ガスおよび空気用の入口１２０、ガス分配プレート１３０、およびバーナプレート１４０を備えている。放射スクリーン１６０は、エンボス部１８０を備えている。
【００３８】
図２は、本発明によるエンボス部２２を有する放射スクリーン２０の上面図を示している。
【００３９】
図３は、図２の線Ｉ−Ｉ’における断面を示している、この断面では、放射スクリーン３０は、バーナプレート３２から距離を隔てて、真っ直ぐに延びている。
【００４０】
図４は、図２の線ＩＩ−ＩＩ’における断面を示している。この断面では、放射スクリーン４０は、エンボス加工されており、これによって、エンボス部において、バーナプレート４２に対する距離が小さくなっている。
【００４１】
図５は、図２の線ＩＩＩ−ＩＩＩ’における断面を示している、この断面では、放射スクリーン５０は、エンボス加工されており、これによって、エンボス部において、バーナプレート５２に対する距離が小さくなっている。
【００４２】
図６は、本発明によるガス燃焼式赤外線放射器６００の代替的実施形態を示している。放射スクリーン６２０およびバーナプレート６４０は、ハウジング６６０内に固定されている。放射スクリーン６２０は、中央６８０においてエンボス加工されており、ハウジング６６０に対する固定部６９０において屈曲されている。
【００４３】
図７は、バーナプレート７１０が２つの孔付きタイル７２０，７３０を備える本発明の実施形態を示している。２つの孔付きタイル７２０，７３０は、耐火接合複合物またはタイルセメント７４０によって、互いに隣り合って接合されている。放射スクリーン７５０は、２つのタイル７２０，７３０間の接合部７４０の位置においてエンボス加工されている。
【００４４】
図８は、バーナプレート８１０が２つの孔付きタイル８２０，８３０を備える本発明の実施形態を示している。２つの孔付きタイル８２０，８３０は、インサート８４０を介して、互いに隣り合って接合されている。放射スクリーン８５０は、２つのタイル８２０，８３０間の接合部８４０の位置においてエンボス加工されている。インサート８４０は、２つのタイル８２０，８３０間に柔軟な接合部を設けることになる。
【００４５】
図９は、本発明によるガス燃焼式赤外線放射器９００の代替的実施形態を示している。バーナプレート９１０は、２つの孔付きタイル９２０，９３０を備えている。２つの孔付きタイル９２０，９３０は、接合部９５０を形成するインサート９４０を介して、互いに隣り合って接合されている。放射スクリーン９６０およびバーナプレート９１０は、ハウジング９７０内に固定されている。放射スクリーン９６０は、２つの孔付きタイル９２０，９３０間の接合部９５０の上方においてエンボス加工されている。放射スクリーン９６０は、ハウジング９７０に対する固定部９８０において屈曲されている。
【００４６】
図１０は、２つの異なるレベルの燃焼面を有するバーナプレート１０００の概略図を示している。
【００４７】
図１１は、図２の線ＩＩＩ−ＩＩＩ’に沿ったエンボス部の代替的断面の概略図を示している。図において、エンボス部の断面は、１１００として示されている。
【００４８】
図１２は、図２の線ＩＩＩ−ＩＩＩ’に沿ったエンボス部のさらに他の代替的断面の概略図を示している。図において、エンボス部の断面は、１２００として示されている。
【００４９】
図１３は、本発明の他の実施形態の断面を示している。この断面では、放射スクリーン１３００は、バーナプレートの中心区域においてエンボス加工されており、これによって、エンボス部において、バーナプレート１３０２に対する距離が大きくなっている。
【００５０】
図１４は、本発明によるガス燃焼式赤外線放射器１４００のさらに他の代替的実施形態を示している。バーナプレート１４１０は、２つの孔付きタイル１４２０，１４３０を備えている。２つの孔付きタイル１４２０，１４３０は、接合部１４５０を形成するインサート１４４０を介して、互いに隣り合って接合されている。放射スクリーン１４６０およびバーナプレート１４１０がハウジング１４７０内に固定されている。放射スクリーン１４６０は、孔付きタイル１４２０，１４３０の中心区域においてエンボス加工されており、これによって、エンボス部において、バーナプレートに対する距離が大きくなっている。放射スクリーン１４６０は、箇所１４８０において、ハウジング１４７０内に固定されている。
【００５１】
一実施形態では、放射スクリーンのエンボス部は、その最も長く延在する方向において、放射スクリーンの側面から４ｍｍから３０ｍｍの範囲内の距離において終端している。さらに好ましい実施形態では、放射スクリーンのエンボス部は、その最も長く延在する方向において、放射スクリーンの側面から５ｍｍから２０ｍｍの範囲内の距離において終端している。さらに一層好ましい実施形態では、放射スクリーンのエンボス部は、その最も長く延在する方向において、放射スクリーンの側面から５ｍｍから１０ｍｍの範囲内の距離において終端している。
【００５２】
一実施形態では、エンボス部は、Ｖ字状であり、Ｖ字の脚は、５０°から１３０°の間の狭角を有している。好ましい実施形態では、Ｖ字の脚は、６０°から１２０°の間の挟角を有している。さらに好ましい実施形態では、Ｖ字の脚は、７５°から１０５°の間の挟角を有している。
【００５３】
本発明の一実施形態では、燃焼面に対する放射スクリーンの平坦部分の距離は、５−２０ｍｍの範囲内にある。さらに好ましい実施形態では、燃焼面に対する放射スクリーンの平坦部分の距離は、７−１７ｍｍの範囲内にある。本発明の他の実施形態では、燃焼面に対する放射スクリーンの平坦部分の距離は、１０−１５ｍｍの範囲内にある。
【００５４】
本発明の一実施形態では、放射スクリーンの平坦部分に対する近距離のエンボス部の深さは、その最深点において、６ｍｍから１５ｍｍの範囲内にある。好ましい実施形態では、放射スクリーンの平坦部分に対する近距離のエンボス部の深さは、その最深点において、６ｍｍから１２ｍｍの範囲内にある。さらに好ましい実施形態では、放射スクリーンの平坦部分に対する近距離のエンボス部の深さは、その最深点において、７ｍｍから１０ｍｍの範囲内にある。
【００５５】
本発明の一実施形態では、近距離のエンボス部の最深点と燃焼面との間の間隙は、２−８ｍｍの範囲内にある。好ましい実施形態では、近距離のエンボス部の最深点と燃焼面との間の間隙は、２−５ｍｍの範囲内にある。
【図１】
0005974017.tif 000002
【図２】
0005974017.tif 000003
【図３】
0005974017.tif 000004
【図４】
0005974017.tif 000005
【図５】
0005974017.tif 000006
【図６】
0005974017.tif 000007
【図７】
0005974017.tif 000008
【図８】
0005974017.tif 000009
【図９】
0005974017.tif 000010
【図１０】
0005974017.tif 000011
【図１１】
0005974017.tif 000012
【図１２】
0005974017.tif 000013
【図１３】
0005974017.tif 000014
【図１４】
0005974017.tif 000015